(57)【要約】【課題】使用時にはＸ字状に開き、使用しない時には折りたたみ自立させることができるとともに、それぞれの状態を安定保持（ロック）できる水切りラックの提供を目的とする。【解決手段】Ｘ字状に開いた状態と、相互に重なり合うように折りたたみ自立した状態とに切り換え可能に連結した一対の第１本体枠と第２本体枠とを備え、前記Ｘ字状に開いた状態と、前記折りたたんだ状態とをそれぞれ保持するための補助枠を有し、前記補助枠は一方の側辺部を前記第１本体枠又は第２本体枠のうち一方に回動可能に連結した回動部を有し、前記補助枠の他方の側辺部は、前記Ｘ字状に開いた状態を保持するために相手側の本体枠に係止する係止部と、前記折りたたんだ状態を保持するために前記相手側の本体枠に係合するフック部とを有することを特徴とする。【選択図】  図１
2019154517.tif 000002
【特許請求の範囲】
【請求項１】
Ｘ字状に開いた状態と、相互に重なり合うように折りたたみ自立した状態とに切り換え可能に連結した一対の第１本体枠と第２本体枠とを備え、
前記Ｘ字状に開いた状態と、前記折りたたんだ状態とをそれぞれ保持するための補助枠を有し、
前記補助枠は一方の側辺部を前記第１本体枠又は第２本体枠のうち一方に回動可能に連結した回動部を有し、
前記補助枠の他方の側辺部は、前記Ｘ字状に開いた状態を保持するために相手側の本体枠に係止する係止部と、前記折りたたんだ状態を保持するために前記相手側の本体枠に係合するフック部とを有することを特徴とする水切りラック。
【請求項２】
前記補助枠が起立方向に回動し、前記フック部が前記相手側の本体枠に係合する際に前記フック部が上下方向に移動可能になっていることを特徴とする請求項１記載の水切りラック。
【請求項３】
前記フック部は自重にて下降するものであることを特徴とする請求項２記載の水切りラック。
【請求項４】
前記フック部が上下方向に移動可能にする手段は前記補助枠の回動部に上下方向の遊び部を有することを特徴とする請求項２又は３記載の水切りラック。
【請求項５】
前記第１本体枠及び第２本体枠は線材からなり上部側に格子状の上段ラック部を有し、
前記補助枠は線材からなり格子状の下段ラック部を形成したものであることを特徴とする請求項１〜４のいずれかに記載の水切りラック。
【請求項６】
前記第１本体枠又は／及び第２本体枠はポケット容器を引っ掛けるための引掛部を有していることを特徴とする請求項５記載の水切りラック。
【発明の詳細な説明】
【技術分野】
【０００１】
本発明は、食器類や調理器具等を収納し、水切り等のために使用するラックに関する。
【背景技術】
【０００２】
例えば特許文献１には、使用時にはＸ字状に展開し、使用しない時にはＩ状に折りたたみ自立可能にした食器等用水切りラックを開示する。
しかし、Ｘ字状に展開した状態においてもＩ状に折りたたんだ状態においても、その状態をロックする保持機構がなく、不安定である。
特許文献２には、袋支持スタンドではあるが、Ｘ字状に展開した状態を保持するための底板を有しているものの、折りたたんだ状態を保持できるものではない。
【先行技術文献】
【特許文献】
【０００３】
【特許文献１】登録実用新案第３１２６０９０号公報
【特許文献２】実開昭６０−１８９０８号公報
【発明の概要】
【発明が解決しようとする課題】
【０００４】
本発明は、使用時にはＸ字状に開き、使用しない時には折りたたみ自立させることができるとともに、それぞれの状態を安定保持（ロック）できる水切りラックの提供を目的とする。
【課題を解決するための手段】
【０００５】
本発明に係る水切りラックは、Ｘ字状に開いた状態と、相互に重なり合うように折りたたみ自立した状態とに切り換え可能に連結した一対の第１本体枠と第２本体枠とを備え、前記Ｘ字状に開いた状態と、前記折りたたんだ状態とをそれぞれ保持するための補助枠を有し、前記補助枠は一方の側辺部を前記第１本体枠又は第２本体枠のうち一方に回動可能に連結した回動部を有し、前記補助枠の他方の側辺部は、前記Ｘ字状に開いた状態を保持するために相手側の本体枠に係止する係止部と、前記折りたたんだ状態を保持するために前記相手側の本体枠に係合するフック部とを有することを特徴とする。
ここで、相手側の本体枠とは、補助枠が回動連結されていない他方の本体枠をいう。
【０００６】
ここで水切りラックと表現したのは、洗いが終わった食器類や調理器具を収納し、水滴を切るのに適していることを意味し、水切りを目的としない収納ラックとしての各種使用も含まれる。
【０００７】
Ｘ字状に開いた状態とは、第１本体枠と第２本体枠との上下方向の途中にて、相互に交差するように回動連結し、上端側が相互に離間し開いた状態をいう。
この状態では、第１及び第２本体枠の下端側も開いている。
これに対して、相互に重なり合うように折りたたみ自立した状態とは、上記第１及び第２本体枠の上端部が相互に近接し、重なるように折りたたまれるとともに、第１及び第２本体枠の下端部側が脚部となり、自立することをいう。
【０００８】
本発明において補助枠は、一方の側辺部を第１本体枠又は第２本体枠の一方に回動可能に連結され、第１本体枠と第２本体枠とがＸ字状に開いた状態を保持（ロック）するために、相手側の本体枠との間に掛け渡されるものである。
また、第１本体枠と第２本体枠とが相互に重なるように折りたたまれた状態では、この第１本体枠と第２本体枠の上端部同士が離れないように保持（ロック）するためのフック部をこの補助枠に設けた。
【０００９】
本発明においては、補助枠が起立方向に回動し、前記フック部が回動部を有しない相手側の本体枠に係合する際に前記フック部が上下方向に移動可能になっていて、フック部が自重で下降するものであってもよい。
この場合にフック部が上下方向に移動可能にする手段は前記補助枠の回動部に上下方向の遊び部を有するものであってもよい。
また、フック部が上下方向に移動可能に伸縮するものであってもよい。
【００１０】
本発明において、第１本体枠及び第２本体枠は線材からなり、上部側に格子状の上段ラック部を有し、前記補助枠は線材からなり格子状の下段ラック部を形成したものであるのが好ましい。
このようにすると、上下の二段に水切り用のラック部を形成することができるとともに、線材間の間に食器類等を収納できる。
また、スプーン，フォーク，しゃもじ等、小物を水切り収納できるように、かご状の容器をポケット容器として、Ｘ字状の斜めに開いた本体枠に水平に引っ掛けるための引掛部を設けてもよい。
【発明の効果】
【００１１】
本発明に係る水切りラックは、補助枠に下段側の水切りラックとして機能を付加することも容易であり、一方の側辺部を本体枠側に回動可能に連結してあることで、Ｘ字状に開いた状態と自立した折りたたみ状態にした両方において、その状態をロックすることができる。
【図面の簡単な説明】
【００１２】
【図１】本発明に係る水切りラックをＸ字状に開いた状態（展開状態）を示す。
【図２】本発明に係る水切りラックを折りたたみ自立させた状態を示す。
【図３】ポケット容器を取り外し、本体枠を折りたたむ動きを（ａ），（ｂ）に示す。
【図４】（ａ）は補助枠に設けたフック部を上昇させた状態、（ｂ）は下降させた状態を示す。
【図５】（ａ），（ｂ）は補助枠のフック部、回動部の拡大図を示す。
【図６】第１本体枠と第２本体枠の脚部の位置関係を示す。
【図７】図６のＡ−Ａ線断面図を示す。
【図８】ポケット容器の例を示す。
【発明を実施するための形態】
【００１３】
本発明に係る水切りラックの構造例を以下、図に基づいて説明する。
図１は、Ｘ字状に開いた展開状態を示し、図２は折りたたみ自立した状態を示す。
線材を略コ字形状に折り曲げ、上部側に格子状のラック部を形成した第１本体枠１０と、第２本体枠２０とを有する。
第１本体枠１０の側辺部１１，１１の途中部と、第２本体枠２０の側辺部２１，２１の途中部とを交差させ、ボルト２５とナット１５にて回動可能に連結してある。
図１に示すようにＸ字状に展開した状態では、第１本体枠の側辺部１１及び第２本体枠の側辺部２１は、斜めに傾斜した状態になる。
本実施例では、側辺部１１，２１の下端側を途中から垂直方向に折り曲げた脚部１２，２２を形成した。
また、図６に示すように、第１本体枠１０の脚部１２が第２本体枠２０の脚部２２の内側に寸法ｄだけずれて位置するように、第１本体枠１０の側辺部１１に内側への湾曲部１１ａを形成してある。
これにより、図２に示すように折りたたんだ状態（折りたたみ状態）では、第１本体枠の脚部１２と第２本体枠の脚部２２とが、側辺部１１と２１との交差方向とは逆方向にクロスし、脚部の先端キャップ１２ａ，２２ａが少し離間した状態になる。
これにより、４本の脚部１２，１２，２２，２２が形成され、自立させることができる。
【００１４】
次に、第１本体枠１０と第２本体枠２０とで形成した上段側のラックについて、説明する。
第１本体枠１０両側の側辺部１１，１１のそれぞれの中央部付近を線材からなる下辺部１７を溶接等にて連結し、この下辺部１７と上辺部１８との間を複数の格子線材１４を掛け渡し、格子状のラック部に形成してある。
第２本体枠２０も上記と同様に下辺部２７と上辺部２８との間に複数本の格子線材２４を掛け渡してある。
また、図３に示すように、水切り用のポケット容器５０を水平に引っ掛けるための引掛部１６，２６を形成してある。
本実施例では、第１本体枠１０及び第２本体枠２０のそれぞれの側辺部１１，２１に略直角形状に折り曲げた線材を溶接することで対向配置し、展開状態では水平方向になるように形成した。
ポケット容器には、図８に示すように裏面側に引掛け爪部５１を有し、表側に開孔部５２や水切り孔部５３を有している。
このポケット容器５０は、樹脂成形品であり、図３（ｂ）に示すように折りたたむ際には取り外し、図２に示すように補助枠３０に引っ掛けることができる。
【００１５】
次に、補助枠３０について説明する。
補助枠３０も線材を用いて製作してあり、下段側の水切りラックとなる。
補助枠３０は、両側のサイド線材３１，３１を基部側の基部線材３５、先端部の線材３８及びその中間に位置する中間線材３６にて枠状に形成し、複数の格子線材３７にて格子状のラック部を形成してある。
第１本体枠１０は、展開状態で垂下方向に折り曲げた両側の脚部１２の少し上部側に掛け渡した軸線材１３を有する。
第２本体枠２０は、両側の脚部２２の少し上部側にて掛け渡した係止線材２３を有する。
補助枠３０は、一方の側辺部を回動中心にして他方の側辺部が上下方向に回動するように、次のように本体枠に連結してある。
【００１６】
両側のサイド線材３１，３１の基部側の先端部３２ｂを、図５に拡大図を示すように反対側に折返し、第１本体枠側の軸線材１３を回動軸として回動可能な回動部３２を形成してある。
この際に、補助枠３０が後述する起立状態で上下方向に移動可能になるように、空間部からなる遊び部３２ａを有している。
補助枠３０の回動先端側は、両側のサイド線材３１，３１の先端側をＬ字形状に下方に折り曲げ、その先を相互につなげた係止部３３を形成してあり、展開状態では図３（ａ），図７に示すように、第２本体枠側に設けた係止線材２３を係止することで、展開状態が保持されるようになっている。
【００１７】
両側のサイド線材３１のうち一方の先端側には、図５に拡大図を示すようにＵ字形状のフック部材の一方の端部３４ａをサイド線材３１に溶接し、反対側の端部３４ｂが展開状態では上側を向くように取り付けてある。
これにより、図２，図３（ｂ）に示すように補助枠３０を起立方向に回動し、第１及び第２本体枠１０，２０を折りたたみ、図４，図５に示すようにＵ字形状のフック部３４の内側に第２本体枠の下辺部２７を係合させることで、折りたたみ状態を保持（ロック）することができる。
この際に、回動部３２に遊び部３２ａを設けたことにより、図４に矢印で示すようにフック部３４が上下移動可能になり、手でフック部３４を持ち上げ、この手を離しただけでフック部３４が自重で下降するので、ロック操作及びロックの解除操作が容易である。
本実施例では、フック部の形状を略Ｕ字形状にし、フック部の内側に第１本体枠１０の下辺部１７も納まるようになっている。
しかし、補助枠３０が一方の側辺部に設けた回動部３２を回動中心として起立した状態では、補助枠３０の他方の側辺部が本実施例では第１本体枠１０の上段ラック部に少なくとも部分的に重なるようになっているので、回動部３２を有していない相手側の本体枠（本実施例では第２本体枠２０）と補助枠３０とで、第１本体枠１０を挟み込むように折り重なるので、このフック部３４は第２本体枠２０にのみ係合すればよい。
よって、フック部の形状は、略Ｕ字形状に限定されるものではなく、略Ｌ字形状のカギ型でもよい。
また、フック部は、相手側の本体枠の線材に上側から係合しても下側から係合してもよいが、自重で係合させるには上側から係合するのがよい。
【００１８】
本実施例では、図４，図７に示すようにボルト２５とナット１５にて第１及び第２本体枠の側辺部１１，２１を交差状に連結した連結部２５ａと、連結部１５ａとにコ字形状の規制部材４０を取り付けてある。
これにより、図７に図６のＡ−Ａ線断面図を示すように、仮に係止部３３が外れるようなことがあっても、それ以上第１及び第２本体枠１０，２０が開かないようになっている。
【符号の説明】
【００１９】
１０      第１本体枠
２０      第２本体枠
３０      補助枠
３２      回動部
３２ａ    遊び部
３３      係止部
３４      フック部
５０      ポケット容器
【図１】
2019154517.tif 000003
【図２】
2019154517.tif 000004
【図３】
2019154517.tif 000005
【図４】
2019154517.tif 000006
【図５】
2019154517.tif 000007
【図６】
2019154517.tif 000008
【図７】
2019154517.tif 000009
【図８】
2019154517.tif 000010